(57)【要約】【課題】ノック操作でボールペン替芯を出没させる際の衝撃を低減する。  【解決手段】ボールペン替芯Ｒが収容された軸筒１０と、軸筒１０内に収容されてボールペン替芯Ｒが取り付けられ、ノック操作でボールペン替芯Ｒが軸筒１０内に没入する第１の位置とボールペン替芯Ｒの先端が軸筒１０の先端から突出する第２の位置とに移動可能に設けられたスライダ２１と、スライダ２１を第１の位置に付勢する圧縮コイルバネ２３と、回転軸がスライダ２１の移動方向と直交する方向に向けてスライダ２１に取り付けられ、圧縮コイルバネ２３の付勢力でスライダ２１を第１の位置に許容する第１の回転角、および圧縮コイルバネ２３の付勢力に抗して軸筒１０に形成された係止部１０ａ−Ｌに係止してスライダ２１を第２の位置に保持する第２の回転角に回転する回転カム２５とを有する。【選択図】図３
2018187856.tif 000002
【特許請求の範囲】
【請求項１】
出没体が収容された筒体と、
前記筒体内に収容されて前記出没体が取り付けられるとともに、ノック操作により前記出没体が前記筒体内に没入する第１の位置と前記出没体の先端が前記筒体の先端から突出する第２の位置とに移動可能に設けられた可動体と、
前記可動体を前記第１の位置に向けて付勢する付勢部材と、
回転軸が前記可動体の移動方向と交差する方向に向けて当該可動体に取り付けられ、前記付勢部材の付勢力で前記可動体を前記第１の位置に許容する第１の回転角、および前記付勢部材の付勢力に抗して前記筒体に形成された係止部に係止して前記可動体を前記第２の位置に保持する第２の回転角に回転する回転カムと、
を有することを特徴とする出没体操作具。
【請求項２】
前記筒体は、
前記可動体の移動により前記回転カムが接触して、前記第１の回転角から前記第２の回転角に向かう回転角を前記回転カムに与える第１の回転付与部と、
前記可動体の移動により前記回転カムが接触して、前記第２の回転角から前記第１の回転角に向かう回転角を前記回転カムに与える第２の回転付与部と、
を備えている、
ことを特徴とする請求項１記載の出没体操作具。
【請求項３】
前記第１の回転付与部と前記第２の回転付与部とは、相互に共通となった回転付与部で構成されている、
ことを特徴とする請求項２記載の出没体操作具。
【請求項４】
前記係止部は、
前記回転カムの第１の部位および第２の部位がそれぞれ当接する第１の当接部および第２の当接部からなる、
ことを特徴とする請求項１〜３の何れか一項に記載の出没体操作具。
【請求項５】
前記可動体には、前記第１の位置になって前記筒体に当接する部位にＯリングが嵌め込まれている、
ことを特徴とする請求項１〜４の何れか一項に記載の出没体操作具。
【請求項６】
前記回転カムの回転軸周りには、当該回転カムを前記可動体に押圧する押圧部材が取り付けられている、
ことを特徴とする請求項１〜５の何れか一項に記載の出没体操作具。
【請求項７】
前記出没体は、筆記部材または塗膜転写体である、
ことを特徴とする請求項１〜６の何れか一項に記載の出没体操作具。
【発明の詳細な説明】
【技術分野】
【０００１】
本発明は、出没体操作具に関し、特に、ノック操作により出没体を出没させる際に発生する衝撃の低減に適用して有効な技術に関するものである。
【背景技術】
【０００２】
ノック操作によって筆記具や塗膜転写具などの出没体を出没させる出没体操作具においては、いわゆるカーン式ノック機構と呼ばれる出没機構が広く採用されている。
【０００３】
カーン式ノック機構はダブルノック機構ともいわれるもので、例えば筆記具の一種であるボールペンノックでは、ノック棒を一度押すとペン先が突出し、もう一度押すと、ペン先が没入する機構である。
【０００４】
カーン式ノック機構は、具体的には、軸筒の内周において軸方向に延びるようにして形成された複数の回転カムと、回転カムと係合する係合突起が外周に形成された回転子と、圧縮コイルバネにより回転子が付勢されたノック棒とで構成されており、ノック棒を操作することにより、係合突起が回転カムの頂部と回転カム溝とに順次受け渡されながら回転子が一方向に回転する構造となっている。
【０００５】
ここで、カーン式ノック機構においては、ノック操作を行った際に、圧縮コイルバネの作用によって回転子と回転カムとが、また回転子と軸筒とが衝突した際の衝撃により「カチカチ」という音や振動が発生してしまう。
【０００６】
そこで、当該衝撃を低減するための様々な技術が提案されている。例えば、特開２０１６−０４３４９８号公報には、ノック棒の外周面と軸筒の内周面との間にＯリングを入れることで摩擦を生じさせ、衝撃を低減する技術が開示されている。
【先行技術文献】
【特許文献】
【０００７】
【特許文献１】特開２０１６−０４３４９８号公報
【発明の概要】
【発明が解決しようとする課題】
【０００８】
しかしながら、前述した技術を採用してもなお、ノック操作での衝撃を十分に低減できていない。
【０００９】
本発明は、上述の技術的背景からなされたものであって、ノック操作で出没体を出没させる際に発生する衝撃をより一層低減することのできる出没体操作具を提供することを目的とする。
【課題を解決するための手段】
【００１０】
上記課題を解決するため、請求項１に記載の本発明の出没体操作具は、出没体が収容された筒体と、前記筒体内に収容されて前記出没体が取り付けられるとともに、ノック操作により前記出没体が前記筒体内に没入する第１の位置と前記出没体の先端が前記筒体の先端から突出する第２の位置とに移動可能に設けられた可動体と、前記可動体を前記第１の位置に向けて付勢する付勢部材と、回転軸が前記可動体の移動方向と交差する方向に向けて当該可動体に取り付けられ、前記付勢部材の付勢力で前記可動体を前記第１の位置に許容する第１の回転角、および前記付勢部材の付勢力に抗して前記筒体に形成された係止部に係止して前記可動体を前記第２の位置に保持する第２の回転角に回転する回転カムと、を有することを特徴とする。
【００１１】
請求項２に記載の発明である出没体操作具は、上記請求項１に記載の発明において、前記筒体は、前記可動体の移動により前記回転カムが接触して、前記第１の回転角から前記第２の回転角に向かう回転角を前記回転カムに与える第１の回転付与部と、前記可動体の移動により前記回転カムが接触して、前記第２の回転角から前記第１の回転角に向かう回転角を前記回転カムに与える第２の回転付与部と、を備えている、ことを特徴とする。
【００１２】
請求項３に記載の発明である出没体操作具は、上記請求項２に記載の発明において、前記第１の回転付与部と前記第２の回転付与部とは、相互に共通となった回転付与部で構成されている、ことを特徴とする。
【００１３】
請求項４に記載の発明である出没体操作具は、上記請求項１〜３の何れか一項に記載の発明において、前記係止部は、前記回転カムの第１の部位および第２の部位がそれぞれ当接する第１の当接部および第２の当接部からなる、ことを特徴とする。
【００１４】
請求項５に記載の発明である出没体操作具は、上記請求項１〜４の何れか一項に記載の発明において、前記可動体には、前記第１の位置になって前記筒体に当接する部位にＯリングが嵌め込まれている、ことを特徴とする。
【００１５】
請求項６に記載の発明である出没体操作具は、上記請求項１〜５の何れか一項に記載の発明において、前記回転カムの回転軸周りには、当該回転カムを前記可動体に押圧する押圧部材が取り付けられている、ことを特徴とする。
【００１６】
請求項７に記載の発明である出没体操作具は、上記請求項１〜６の何れか一項に記載の発明において、前記出没体は、筆記部材または塗膜転写体である、ことを特徴とする。
【発明の効果】
【００１７】
本発明によれば、回転カムがノック操作による可動体の往復移動に連動して回転し、出没体が筒体内に没入する第１の位置に許容する第１の回転角と、出没体の先端が筒体の先端から突出する第２の位置に保持する第２の回転角になる。これにより、ノック操作を行った際に、付勢部材の作用による部材間の衝突は発生しないので、ノック操作で可動体を出没させる際に発生する衝撃をより一層低減することが可能になる。
【図面の簡単な説明】
【００１８】
【図１】本発明である出没体操作具の一実施の形態である筆記具としてのボールペンを示す平面図である。
【図２】図１のボールペンのＡ−Ａ線に沿った断面図である。
【図３】図１のボールペンの分解斜視図である。
【図４】図１のボールペンの内部構造をカム回転作動リブとともに示す平面図である。
【図５】図１のボールペンの内部構造を示す正面図である。
【図６】図１のボールペンの内部構造を示す斜視図である。
【図７】図１のボールペンに設けられた回転カムを示す平面図である。
【図８】図１のボールペンの出没動作について、ボールペン替芯が収納位置にある状態を示す説明図である。
【図９】図１のボールペンの出没動作について、ボールペン替芯が突出位置に向かう状態を示す説明図である。
【図１０】図１のボールペンの出没動作について、突出位置に向かうボールペン替芯が最大突出位置になった状態を示す説明図である。
【図１１】図１のボールペンの出没動作について、ボールペン替芯が突出位置にある状態を示す説明図である。
【図１２】図１のボールペンの出没動作について、ボールペン替芯が収納位置に向かう状態を示す説明図である。
【図１３】図１のボールペンの出没動作について、収納位置に向かうボールペン替芯が最大突出位置になった状態を示す説明図である。
【図１４】本実施の形態のボールペンに設けられた変形例としての回転カムを示す平面図である。
【図１５】本実施の形態のボールペンに設けられた変形例としての回転カムを示す平面図である。
【図１６】本実施の形態のボールペンに設けられた変形例としての回転カムを示す平面図である。
【図１７】本実施の形態のボールペンに設けられた変形例としての回転カムを示す平面図である。
【図１８】本実施の形態のボールペンに設けられた変形例としての回転カムを示す平面図である。
【図１９】本実施の形態のボールペンに設けられた変形例としての回転カムを示す平面図である。
【発明を実施するための形態】
【００１９】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２０】
図１は本発明である出没体操作具の一実施の形態である筆記具としてのボールペンを示す平面図、図２は図１のボールペンのＡ−Ａ線に沿った断面図、図３は図１のボールペンの分解斜視図、図４は図１のボールペンの内部構造をカム回転作動リブとともに示す平面図、図５は図１のボールペンの内部構造を示す正面図、図６は図１のボールペンの内部構造を示す斜視図、図７は図１のボールペンに設けられた回転カムを示す平面図である。
【００２１】
図１〜図６に示すように、出没体操作具の一例である本実施の形態のボールペンは、外側の軸筒１０（筒体）と、軸筒１０の内部に収容されたボールペン替芯Ｒ（出没体）およびその出没機構とで構成されている。
【００２２】
図１に示すように、軸筒１０は、円筒状の筐体部１０ａと、筐体部１０ａの先端にねじ結合された先細り形状の先軸１０ｂと、筐体部１０ａの後端に挿入されたリング状の尾栓１０ｃとで構成されている。また、筐体部１０ａの後部には、ボールペンをポケットに止める際などに用いられるクリップ１１が取り付けられている。
【００２３】
図３に示すように、筐体部１０ａには、クリップ１１に隠蔽される位置に開口して係止部１０ａ−Ｌ（図８〜図１３参照）を構成する長孔１０ａ−１が形成され、当該長孔１０ａ−１の周方向の近傍にはカム回転作動リブ２０（回転付与部）が取り付けられる取付孔１０ａ−２が形成されている。なお、これらの詳細については後述する。
【００２４】
図２〜図６に示すように、軸筒１０内にはスライダ２１（可動体）が収容されている。このスライダ２１には、当該スライダ２１を構成する本体部２１ａの先端に、本体部２１ａよりも小径となった細長い円筒状の替芯保持部２１ｂが設けられており、前述したボールペン替芯Ｒが挿入保持されている。
【００２５】
また、本体部２１ａの後端には、当該本体部２１ａよりも小径のノック部２１ｃが形成されている。ノック部２１ｃは筐体部１０ａに嵌め込まれた尾栓１０ｃを貫通して軸筒１０の後端から突出している。
【００２６】
そして、スライダ２１は、ノック部２１ｃのノック操作によって、ボールペン替芯Ｒが軸筒１０内に没入する第１の位置（つまり、収納時の位置）と、ボールペン替芯Ｒの先端が軸筒１０の先端から突出する第２の位置（つまり、筆記時の位置）とに移動可能になっている。第１の位置では、スライダ２１の本体部２１ａとノック部２１ｃとの境界部分である段差部２１−１が尾栓１０ｃの先端に当接してスライダ２１の後退が規制される。なお、ノック部２１ｃにはノックカバー２２が嵌め込まれており、ノック部２１ｃの軸方向に沿って形成された長穴を閉塞している。
【００２７】
替芯保持部２１ｂには圧縮コイルバネ２３（付勢部材）が伸縮自在に嵌め込まれている。圧縮コイルバネ２３の一方端は前述した先軸１０ｂの内周に形成された段差部１０ｂ−１に圧接し、他方端はスライダ２１の本体部２１ａの先端面に圧接しており、スライダ２１を前述した第１の位置に向けて付勢している。なお、スライダ２１が圧縮コイルバネ２３の弾発力によって第２の位置から第１の位置になったとき（換言すれば、段差部２１−１が尾栓１０ｃの先端に当接したとき）の衝撃を緩和するために、当接部位であるスライダ２１の段差部２１−１にはＯリング２４が嵌め込まれている。
【００２８】
スライダ２１の本体部２１ａに形成された軸突起２１ａ−１には、板状の回転カム２５（図７参照）が回転自在に挿入されている。図示するように、軸突起２１ａ−１はスライダ２１の移動方向と直交する方向になっており、よって、当該軸突起２１ａ−１に挿入された回転カム２５の回転軸は、スライダ２１の移動方向と直交する方向を向いている。
【００２９】
但し、回転カム２５の回転軸は、スライダ２１の移動方向と交差する方向を向いていれば足り、必ずしも直交していることまでは要求されない。
【００３０】
また、本体部２１ａには、軸突起２１ａ−１の先端に当接するようにして、スライダ２１の一部を構成するカバー２６が取り付けられており、軸突起２１ａ−１に嵌め込まれた回転カム２５の脱落が防止されている。
【００３１】
さらに、回転カム２５の回転軸周りである軸突起２１ａ−１には圧縮コイルバネ２７（押圧部材）が取り付けられている。圧縮コイルバネ２７は回転カム２５とカバー２６とに挟まれて弾発力が発生しており、回転カム２５をスライダ２１に(より詳しくは、スライダ２１の本体部２１ａに)押圧している。これにより、回転カム２５の回転軸方向への自由移動が規制されるので、回転時に不安定に揺れ動いた挙動となることが防止されて回転軌道が安定する。また、回転カム２５が適度な摩擦抵抗を伴いながら回転するので、スライダ２１が第１の位置や第２の位置に移動するときの衝撃が一層緩和される。
【００３２】
なお、圧縮コイルバネ２７は、本実施の形態のように回転カム２５のカバー２６側ではなく、その反対側に取り付けられていてもよい。この場合には、圧縮コイルバネ２７は、回転カム２５をスライダ２１の構成要素であるカバー２６に押圧することになる。
【００３３】
また、圧縮コイルバネ２７がなくても回転カム２５の回転軌道が安定する場合には、当該圧縮コイルバネ２７は取り付けられていなくてもよい。
【００３４】
さらに、回転カム２５を押圧する部材としては、本実施の形態のような圧縮コイルバネ２７以外であってもよく、一例を挙げればＯリングなどを適用することができる。
【００３５】
さて、回転カム２５は、図７に詳しく示すように、長方形または正方形の対向する２辺を内側に向けて円弧状に凹ませた形状になっている。
【００３６】
この回転カム２５は、圧縮コイルバネ２３の付勢力によってスライダ２１が第１の位置（＝ボールペン替芯Ｒが軸筒１０内に没入した位置・収納時の位置）にあるときは、回転カム２５はどこの部位とも干渉しない第１の回転角になる（図８参照）。また、圧縮コイルバネ２３の付勢力に抗してスライダ２１が第２の位置（＝ボールペン替芯Ｒの先端が軸筒１０の先端から突出した位置・筆記時の位置）にあるときには、回転カム２５は前述した軸筒１０の筐体部１０ａに形成された係止部１０ａ−Ｌに係止する第２の回転角になって当該スライダ２１を第２の位置に保持する（図１１参照）。
【００３７】
ここで、図８〜図１３に示すように、係止部１０ａ−Ｌは、回転カム２５（図７）の凹んだ辺である第１の部位２５ａが当接する長孔１０ａ−１の縁部１０ａ−Ｌ１（第１の当接部）と、当該辺とその隣接した辺とで形成される角部である第２の部位２５ｂが当接する筐体部１０ａの内壁面１０ａ−Ｌ２（第２の当接部）とからなる。そして、回転カム２５が第２の回転角になって当該回転カム２５の２箇所の部位（第１の部位２５ａ・第２の部位２５ｂ）がこのように係止部１０ａ−Ｌに係止されることによって回転カム２５の自由回転が阻止され、回転カム２５が取り付けられたスライダ２１が第２の位置に保持される。
【００３８】
このように、回転カム２５は、ノック操作によるスライダ２１の往復移動に連動して一方向に回転して第１の回転角と第２の回転角とになり、ボールペン替芯Ｒを没入位置にし、突出位置で保持する。
【００３９】
筐体部１０ａに形成された長孔１０ａ−１のやや先軸１０ｂ側には、カム回転作動リブ２０が回転カム２５と対向するようにして取付孔１０ａ−２に嵌め込まれて設けられている。カム回転作動リブ２０の回転カム２５側には、ノック操作でのスライダ２１の移動時に回転カム２５が接触してその回転角を変化させる作動突起２０ａを有している。また、作動突起２０ａは、スライダ２１の移動に伴う回転カム２５の回転軸の移動軌跡の延長線上に対してずれた位置、つまりオフセットした位置に配置されている。
【００４０】
これにより、スライダ２１が第１の位置からボールペン替芯Ｒの先端が最大に突出する位置に移動する際には、第１の回転角にある回転カム２５がカム回転作動リブ２０の作動突起２０ａに接触して回転し、第２の回転角に向かう回転角が与えられる。
【００４１】
また、スライダ２１が第２の位置からボールペン替芯Ｒの先端が最大に突出する位置に移動する際には、第２の回転角にある回転カム２５がカム回転作動リブ２０の作動突起２０ａに接触して回転し、第１の回転角に向かう回転角が与えられる。
【００４２】
なお、本実施の形態においては、一つのカム回転作動リブ２０により回転カム２５に対して第２の回転角に向かう回転角と第１の回転角に向かう回転角とが与えられている。しかしながら、２つのカム回転作動リブ、つまり第１の回転付与部と第２の回転付与部を設けて、第１の回転付与部では回転カム２５に第２の回転角に向かう回転角を与え、第２の回転付与部では回転カム２５に第１の回転角に向かう回転角を与えるようにしてもよい。
【００４３】
次に、このような構成を有するボールペンにおけるボールペン替芯Ｒの出没動作について、図８〜図１３を用いて説明する。ここで、図８〜図１３は図１のボールペンの出没動作を連続的に示す説明図である。また、図８〜図１３において、（ａ）は出没動作中のボールペンの外観を示す平面図、（ｂ）は当該平面図のＡ部の内部構造を拡大して示す説明図である。なお、図８（ａ）〜図１３（ａ）において、クリップ１１の図示は省略されている。
【００４４】
先ず、図８に示すように、収納時の位置であるボールペン替芯Ｒが軸筒１０内に没入した第１の位置では、スライダ２１に取り付けられた回転カム２５は、どこの部位とも干渉しない第１の回転角になっている。
【００４５】
この状態からノック部２１ｃを操作すると、図９に示すように、圧縮コイルバネ２３の付勢力に抗してスライダ２１が先軸１０ｂに向けて軸筒１０内を移動して、回転カム２５がカム回転作動リブ２０の作動突起２０ａに接触する。そして、図１０に示すように、ボールペン替芯Ｒの先端が最大に突出する位置までスライダ２１が移動すると、第１の回転角にある回転カム２５が作動突起２０ａの接触によって所定角度だけ回転し、第２の回転角に向かう回転角が与えられる。このとき、回転カム２５の第１の部位２５ａが長孔１０ａ−１内に入り込む。
【００４６】
そして、ノック部２１ｃの操作を終えると、スライダ２１は圧縮コイルバネ２３の付勢力によって押し戻されるように軸筒１０内を僅かに反対方向に移動する。すると、図１１に示すように、長孔１０ａ−１内に入り込んだ回転カム２５の第１の部位２５ａが当該長孔１０ａ−１の縁部１０ａ−Ｌ１（一方の係止部１０ａ−Ｌ）に当接してさらに所定角度だけ回転し、それとともに回転カム２５の第２の部位２５ｂが筐体部１０ａの内壁面１０ａ−Ｌ２（他方の係止部１０ａ−Ｌ）に当接する。これにより、回転カム２５は軸筒１０の筐体部１０ａに形成された係止部１０ａ−Ｌに係止して自由回転が阻止された第２の回転角になり、スライダ２１を、筆記時の位置であるボールペン替芯Ｒの先端が軸筒１０の先端から突出した第２の位置で保持する。
【００４７】
さて、図１１に示すように回転カム２５が第２の回転角になってスライダ２１を第２の位置で保持した状態において、再びノック部２１ｃを操作すると、図１２に示すように、圧縮コイルバネ２３の付勢力に抗してスライダ２１が先軸１０ｂに向けて軸筒１０内を移動して、回転カム２５がカム回転作動リブ２０の作動突起２０ａに接触する。このとき、回転カム２５は第２の回転角になっているために、第１の回転角で接触した辺と隣接した辺が作動突起２０ａに接触する。
【００４８】
そして、図１３に示すように、ボールペン替芯Ｒの先端が最大に突出する位置までスライダ２１が移動すると、第２の回転角にある回転カム２５が作動突起２０ａの接触によって所定角度だけ回転し、第１の回転角に向かう回転角が与えられる。
【００４９】
ノック部２１ｃの操作を終えると、スライダ２１は圧縮コイルバネ２３の付勢力によって押し戻されるように軸筒１０内を反対方向に移動する。そして、移動の途中で回転カム２５が長孔１０ａ−１の縁部１０ａ−Ｌ１に当接することによりさらに所定角度だけ回転して第１の回転角になり、前述した図８に示すように、スライダ２１は、ボールペン替芯Ｒが軸筒１０内に没入した第１の位置に戻る。
【００５０】
このように、本実施の形態のボールペンによれば、回転軸がスライダ２１の移動方向と直交する方向に向けて当該スライダ２１に取り付けられた回転カム２５が、ノック操作によるスライダ２１の往復移動に連動して回転し、ボールペン替芯Ｒが軸筒１０内に没入する第１の位置に許容する第１の回転角と、ボールペン替芯Ｒの先端が軸筒１０の先端から突出する第２の位置に保持する第２の回転角になる。したがって、ノック操作を行った際に、圧縮コイルバネ２３の作用による部材間の衝突（つまり、カーン式ノック機構における回転子と回転カムとの衝突や回転子と軸筒との衝突）が発生しない。これにより、ノック操作でボールペン替芯Ｒを出没させる際に発生する衝撃をより一層低減することが可能になる。
【００５１】
以上本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００５２】
例えば、本実施の形態において、第２の回転角になった回転カム２５が係止する係止部１０ａ−Ｌは、第１の当接部である長孔１０ａ−１の縁部１０ａ−Ｌ１と、第２の当接部である筐体部１０ａの内壁面１０ａ−Ｌ２とで構成されているが、これに限定されるものではない。例えば、軸筒１０の内壁に形成されて、回転カム２５を第２の回転角で係止可能な溝や突起などであってもよい。
【００５３】
また、本実施の形態において、回転カム２５は、図７に示すように、長方形または正方形の対向する２辺を内側に向けて円弧状に凹んだ形状にして第１の部位２５ａとし、当該辺とその隣接した辺とで形成される角部を第２の部位２５ｂとしたものであるが、このような形状に限定されるものではない。つまり、複数の部位が軸筒１０に当接することによって係止されて第２の回転角に保持される限り、回転カム２５には様々な形状を採用することができる。
【００５４】
一例を挙げると、第１の部位２５ａとしては、図１４に示すようにＶ字形に凹んだ形状、図１５および図１６に示すように端部だけが傾斜した形状、図１７に示すように、Ｌ字形にして長孔１０ａ−１の縁部１０ａ−Ｌ１に引っ掛けられるようにした形状などが考えられる。また、第２の部位２５ｂとしては、図７、図１４、図１５に示すような角部ではなく、図１６および図１７に示すように、第１の部位２５ａから延びた直線として、筐体部１０ａの内壁面１０ａ−Ｌ２に面接触するようにした形状などが考えられる。
【００５５】
さらに、図１８および図１９に示すように、回転カム２５の第１の部位２５ａおよび第２の部位２５ｂ以外の部位については、自由な形状にすることができる。
【００５６】
なお、本実施の形態においては、回転カム２５はスライダ２１の本体部２１ａに形成された軸突起２１ａ−１に嵌め込まれているが、回転カム２５側に軸突起を形成し、スライダ２１の本体部２１ａに形成された軸孔に嵌め込むようにしてもよい。
【００５７】
そして、出没体としてはボールペン替芯Ｒに限定されるものではなく、様々な筆記部材に適用することが可能である。さらに、筆記部材にとどまらず、接着剤や修正塗膜などを保持した転写テープなどのような塗膜転写体にも適用することが可能である。
【産業上の利用可能性】
【００５８】
以上の説明では、本発明の出没体操作具をボールペンなどの筆記具に適用した場合が示されているが、これに限定されるものではなく、塗膜転写体を出没させる塗膜転写具などに適用することができる。
【符号の説明】
【００５９】
１０  軸筒（筒体）
１０ａ  筐体部
１０ａ−１  長孔
１０ａ−２  取付孔
１０ａ−Ｌ  係止部
１０ａ−Ｌ１  縁部（第１の当接部）
１０ａ−Ｌ２  内壁面（第２の当接部）
１０ｂ  先軸
１０ｂ−１  段差部
１０ｃ  尾栓
１１  クリップ
２０  カム回転作動リブ（回転付与部）
２０ａ  作動突起
２１  スライダ（可動体）
２１−１  段差部
２１ａ  本体部
２１ａ−１  軸突起
２１ｂ  替芯保持部
２１ｃ  ノック部
２２  ノックカバー
２３  圧縮コイルバネ（付勢部材）
２４  Ｏリング
２５  回転カム
２５ａ  第１の部位
２５ｂ  第２の部位
２６  カバー
２７  圧縮コイルバネ（押圧部材）
Ｒ  ボールペン替芯（出没体）
【図１】
2018187856.tif 000003
【図２】
2018187856.tif 000004
【図３】
2018187856.tif 000005
【図４】
2018187856.tif 000006
【図５】
2018187856.tif 000007
【図６】
2018187856.tif 000008
【図７】
2018187856.tif 000009
【図８】
2018187856.tif 000010
【図９】
2018187856.tif 000011
【図１０】
2018187856.tif 000012
【図１１】
2018187856.tif 000013
【図１２】
2018187856.tif 000014
【図１３】
2018187856.tif 000015
【図１４】
2018187856.tif 000016
【図１５】
2018187856.tif 000017
【図１６】
2018187856.tif 000018
【図１７】
2018187856.tif 000019
【図１８】
2018187856.tif 000020
【図１９】
2018187856.tif 000021